(57)【要約】      （修正有）【課題】外装筐体内が負圧気味になっても、塵埃を含まない冷却用の空気を吸入できるとともに、円滑な流れを維持でき、かつメンテナンスを容易にできるプロジェクタの提供。【解決手段】外部の空気を外装筐体の内部に吸入する吸気ファン４２，４３と、外装筐体内の空気を外部へ排出する排気ファンとを備えたプロジェクタにおいて、吸気ファン４２，４３が取り付けられるファン取付プレート４１と、ファン取付プレート４１に対して吸気ファン４２，４３とは反対側に近接して取り付けられるエアーフィルタ４６とを設け、ファン取付プレート４１には、吸気ファン４２，４３にて吸入される空気が通る開口部４１１，４１２、および開口部４１１，４１２回りで外装筐体の内外を連通させる複数の連通部４１９を設け、エアーフィルタ４６を、ファン取付プレート４１の開口部４１１，４１２および連通部４１９の両方を覆う大きさにした。【選択図】図５
2009211000.tif 000002
【特許請求の範囲】
【請求項１】
外部の空気を外装筐体の内部に吸入する吸気ファンと、前記外装筐体内の空気を外部へ排出する排気ファンとを備えたプロジェクタであって、
前記吸気ファンが取り付けられるファン取付プレートと、
前記ファン取付プレートに対して前記吸気ファンとは反対側に近接して取り付けられるエアーフィルタとを備え、
前記ファン取付プレートには、前記吸気ファンにて吸入される空気が通る開口部、および前記開口部の周囲に前記外装筐体の内外を連通させる連通部が設けられ、
前記エアーフィルタは、前記ファン取付プレートの開口部および前記連通部の両方を覆っている
ことを特徴とするプロジェクタ。
【請求項２】
請求項１に記載のプロジェクタにおいて、
前記連通部は小孔状とされて、前記ファン取付プレートの面状部に複数設けられている  ことを特徴とするプロジェクタ。
【請求項３】
請求項１または請求項２に記載のプロジェクタにおいて、
前記ファン取付プレートには、一対の前記吸気ファンが取り付けられるとともに、
これらの吸気ファンはシロッコファンとされ、
一対の吸気ファンのうちの一方の吸気ファンは、筒状の中継部材を介して前記取付プレートに取り付けられる
ことを特徴とするプロジェクタ。
【請求項４】
請求項３に記載のプロジェクタにおいて、
前記中継部材の他方の吸気ファンに近接した位置には、凹状に欠かれた凹面部が設けられている
ことを特徴とするプロジェクタ。
【発明の詳細な説明】
【技術分野】
【０００１】
本発明は、プロジェクタに関する。
【背景技術】
【０００２】
従来、光源から射出された光束を画像情報に応じて変調し、スクリーン等に拡大投射するプロジェクタが知られている。
このようなプロジェクタでは、内部の温度上昇を回避するために、吸気ファンにより外装筐体内部に空気を吸入し、各部位を空気で冷却した後に該冷却空気を排気ファンにて外装筐体外部に排出する冷却機構が採用されている。
冷却機構においては一般的に、吸気ファンによって吸入される冷却用の空気は、エアーフィルタを通して外装筐体内部に吸入される。
【０００３】
ところで、そのような冷却機構のエアーフィルタに目詰まりが生じると、外装筐体内部に効率的に空気が吸入されない一方で、排気ファンによって内部の空気が排出されようとするために、外装筐体内部が負圧状態になる。このような状態では、空気がエアーフィルタを通してではなく、外装筐体に形成された隙間などから入り込むことになり、外装筐体内部での冷却空気の円滑な流れが形成されないばかりか、塵埃を含んだ空気が外装筐体内部に吸入されることになり、塵埃が光学部品に付着することによる照明劣化や塵埃の投写画面への写り込みといった問題が生じる。
【０００４】
そこで、外装筐体下面の吸気口に吸気ファンを備えたプロジェクタにおいては、この吸気ファンの空気吸入側にエアーフィルタを設けておくことに加えて、外装筐体上面に別の吸気口を設けておくとともに、この吸気口にもエアーフィルタを設置しておくことが提案されている（例えば、特許文献１参照）。
この特許文献１によれば、外装筐体下面のエアーフィルタが目詰まりした場合に、冷却用の空気を外装筐体上面のエアーフィルタを通して別の吸気口から吸入でき、塵埃の含まない空気で各部を冷却できる。また、外装筐体上面の吸気口を下面の吸気口に対して上下に対向した近い位置に設けることで、いずれの吸気口から吸入された場合でも、空気の流れが大きく変わる心配がなく、各部の冷却を効率的に行える。
【０００５】
【特許文献１】特開平８−１８６７８４号公報
【発明の開示】
【発明が解決しようとする課題】
【０００６】
しかしながら、特許文献１に記載のプロジェクタでは、エアーフィルタが外装筐体の下面および上面にそれぞれ設けられているため、２つのエアーフィルタが目詰まりを起こした場合には、その両方を清掃または交換する必要があり、メンテナンスが煩雑になるという問題がある。
【０００７】
本発明の目的は、エアーフィルタに目詰まりが生じ、外装筐体内が負圧気味になっても、塵埃を含まない冷却用の空気を吸入できるとともに、円滑な流れを維持でき、かつメンテナンスを容易にできるプロジェクタを提供することにある。
【課題を解決するための手段】
【０００８】
本発明のプロジェクタは、外部の空気を外装筐体の内部に吸入する吸気ファンと、前記外装筐体内の空気を外部へ排出する排気ファンとを備えたプロジェクタであって、前記吸気ファンが取り付けられるファン取付プレートと、前記ファン取付プレートに対して前記吸気ファンとは反対側に近接して取り付けられるエアーフィルタとを備え、前記ファン取付プレートには、前記吸気ファンにて吸入される空気が通る開口部、および前記開口部の周囲に前記外装筐体の内外を連通させる連通部が設けられ、前記エアーフィルタは、前記ファン取付プレートの開口部および前記連通部の両方を覆っていることを特徴とする。
【０００９】
本発明によれば、エアーフィルタに目詰まりが生じて外装筐体内が負圧になると、ファン取付プレートの連通部を通して空気が吸入される。この時、エアーフィルタに目詰まりが生じている領域は、ファン取付プレートの開口部に対応した領域であり、連通部に対応した位置では目詰まりが生じていない。従って、エアーフィルタが開口部と連通部との両方を覆っている本発明では、連通部を介して吸入される空気もエアーフィルタを通過しているのであり、外装筐体内の負圧によって吸入される空気内に塵埃が含まれる心配がない。
【００１０】
また、連通部は開口部と同様にファン取付プレートに設けられているから、通常状態において開口部を通る空気と、目詰まり状態において連通部を通る空気とを、それぞれ近い位置から吸入でき、いずれの状態にある場合でも、空気の流れを大きく乱すおそれがなく、円滑な流れを実現できる。
しかも、エアーフィルタが開口部と連通部とを覆っていることで、エアーフィルタとしては１つでよいから、従来のように２つのエアーフィルタを扱う必要がなく、メンテナンスを容易にできる。
【００１１】
本発明のプロジェクタでは、前記連通部は小孔状とされて、前記ファン取付プレートの面状部に複数設けられていることが望ましい。
ファン取付プレートの面状部には、吸気ファンを取り付けるための取付ボス等が設けられるうえ、小型化のためにも必要以上の面積で面状部を設けることができないが、連通部を小孔状とすることにより、最低限設けられる面状部分に複数の連通部を効率的に配置でき、小型化を阻害することなく十分な空気量を確保できる。
【００１２】
本発明のプロジェクタでは、前記ファン取付プレートには、一対の前記吸気ファンが取り付けられるとともに、これらの吸気ファンはシロッコファンとされ、一対の吸気ファンのうちの一方の吸気ファンは、筒状の中継部材を介して前記取付プレートに取り付けられていてもよい。
冷却性能を満足させるために１つの大きな吸気ファンを採用すると、プロジェクタ全体の厚みが大きくなるなど、小型化を阻害する。これに対して、小型の吸気ファンを一対設ける本発明では、各吸気ファンの外装筐体内での納まりがよく、配置効率が向上するため、冷却性能を満足させつつ、プロジェクタの小型化をより促進できる。
さらに、一方の吸気ファンを中継部材を介してファン取付プレートに取り付けるので、中継部材の厚みを他方の吸気ファンと略同程度に設定することにより、吸気ファンとしてシロッコファンを採用した場合でも、それらの空気吐出口を互いに干渉されることなく同方向に開口させることができる。
【００１３】
本発明のプロジェクタでは、前記中継部材の他方の吸気ファンに近接した位置には、凹状に欠かれた凹面部が設けられていることが望ましい。
このような本発明では、中継部材に設けられた凹面部を他方の吸気ファンに対応させることで、一対の吸気ファンを互いに重なるように近接させて配置可能であり、各吸気ファンの配置スペースを削減して小型化を一層促進できる。
【発明を実施するための最良の形態】
【００１４】
以下、本発明の実施の一形態を図面に基づいて説明する。
〔外観構成〕
図１は、本実施形態におけるプロジェクタ１の外観を前面上方側から見た斜視図である。図２は、プロジェクタ１の内部構造を背面上方側から見た斜視図である。図３は、プロジェクタ１内の要部を背面上方側から見た斜視図である。
なお、以下で記載する「上」、「下」、「左」、「右」は、図１における図面視において、上下左右に相当するものである。また、以下で記載する「前面」、「背面」も、図１における図面視において、前面および背面に相当するものである。
プロジェクタ１は、光源から射出された光束を画像情報に応じて変調して画像光を形成し、形成した画像光をスクリーン（図示略）上に拡大投射する。このプロジェクタ１は、図１に示すように、外装を構成する外装筐体２を備える。
【００１５】
外装筐体２は、プロジェクタ１の装置本体を収納する。この外装筐体２は、図１に示すように、プロジェクタ１の天面部２Ａ、前面部２Ｂ、背面部２Ｃ、左側面部２Ｄ、および右側面部２Ｅをそれぞれ構成するアッパーケース２１と、プロジェクタ１の底面部２Ｆ、前面部２Ｂ、背面部２Ｃ、左側面部２Ｄ、および右側面部２Ｅをそれぞれ構成するロアーケース２２とを備える。
この外装筐体２の右側面部２Ｅには、図１に示すように、外装筐体２内に冷却用の空気を導入するための吸気口２３が形成され、前面部２Ｂの左側部分から左側面部２Ｄの前面側にかけて、冷却用の空気を排気するための排気口２４が形成されている。
【００１６】
〔内部構成〕
図４は、外装筐体２内部に収容される装置本体を模式的に示す図である。
外装筐体２内部には、図２ないし図４に示す装置本体が収容されている。そして、この装置本体は、光学ユニット３および吸気装置４を備える。
なお、外装筐体２内において、各部材３，４以外の空間には、プロジェクタ１内部の空気を排気口２４から排出する排気装置５、プロジェクタ１の各構成部材に電力を供給する電源ユニット６、プロジェクタ１の各構成部材の動作を制御する図示略の制御装置等が配置されるものとする。
【００１７】
〔光学ユニットの構成〕
光学ユニット３は、図４に示すように、光源ランプ３１１およびリフレクタ３１２を有する光源装置３１と、レンズアレイ３２１，３２２、偏光変換素子３２３、および重畳レンズ３２４を有する照明光学装置３２と、ダイクロイックミラー３３１，３３２、および反射ミラー３３３を有する色分離光学装置３３と、入射側レンズ３４１、リレーレンズ３４３、および反射ミラー３４２，３４４を有するリレー光学装置３４と、光変調装置としての３つの液晶パネル３５１（赤色光側の液晶パネルを３５１Ｒ、緑色光側の液晶パネルを３５１Ｇ、青色光側の液晶パネルを３５１Ｂとする）、３つの入射側偏光板３５２、３つの射出側偏光板３５３、および色合成光学装置としてのクロスダイクロイックプリズム３５４を有する光学装置３５と、投射光学装置としての投射レンズ３６とを備える。
【００１８】
なお、上述した各光学部品３１〜３６については、種々の一般的なプロジェクタの光学系として利用されているため、具体的な説明を省略する。
そして、光学ユニット３では、上述した構成により、光源装置３１から射出され照明光学装置３２を介した光束は、色分離光学装置３３にてＲ，Ｇ，Ｂの３つの色光に分離される。また、分離された各色光は、各液晶パネル３５１にて画像情報に応じてそれぞれ変調され、色光毎の画像光が形成される。色光毎の画像光は、クロスダイクロイックプリズム３５４にて合成され、投射レンズ３６にてスクリーン（図示略）に拡大投射される。
【００１９】
〔吸気装置の構成〕
吸気装置４は、図３および図５に示すように、外装筐体２の吸気口２３（図１）に対応した位置でロアーケース２２に取り付けられるファン取付プレート４１と、ファン取付プレート４１に取り付けられる一対の吸気ファン４２，４３と、これらの吸気ファン４２，４３の空気吐出口４２１，４３１に接続される吸気ダクト４４とを備えている。
以下にはまず、吸気ファン４２，４３および吸気ダクト４４の説明をし、その後に本実施形態の最も特徴的なファン取付プレート４１について説明する。
【００２０】
吸気ファン４２，４３はシロッコファンであり、それぞれの吸気性能や外形形状は同じである。吸気ファン４２，４３がシロッコファンであることにより、空気吐出口４２１，４３１は、空気の吸入方向（ファンの回転軸方向）に対して直交する方向に開口している。より具体的に空気吐出口４２１，４３１は、ロアーケース２２の底面上で互に同じ向きで開口している。また、冷却に必要な風量および風圧を得るために本実施形態では、２つの小型の吸気ファン４２，４３が用いられているのであり、１つの大きな吸気ファンを用いる場合に比して、プロジェクタ１の薄型化を促進できるというメリットがある。
【００２１】
吸気ダクト４４は、吸気ファン４２，４３の空気吐出口４２１，４３１から吐出する冷却用の空気を、装置本体の内方側の所定位置に位置した光学ユニット３の３つの液晶パネル３５１や光源装置３１に導くものであり、ロアーケース２２の底面上に配置されている。従って、この吸気ダクト４４には、各液晶パネル３５１Ｒ，３５１Ｇ，３５１Ｂの配置位置に対応した吹出口４４１（４４１Ｒ，４４１Ｇ，４４１Ｂ）、および偏光変換素子３２３の配置位置に対応した吹出口４４２が設けられている。
また、図示を省略するが、吸気ダクト４４内の流路は、吹出口４４１までの間で仕切られており、吹出口４４１Ｒ、４４１Ｂから吹き出す空気が吸気ファン４２から供給され、吹出口４４１Ｇから吹き出す空気が吸気ファン４３から供給される。各吹出口４４１Ｒ，４４１Ｇ，４４１Ｂから吹き出さずに、そのまま吸気ダクト４４内を流れる空気は、下流側で吸気ファン４３からの空気と合流し、先端の吹出口４４２に導かれる。
【００２２】
ファン取付プレート４１は、全体略矩形状とされ、吸気口２３の内方に配置されている。ロアーケース２２にアッパーケース２１が取り付けられた状態では、ファン取付プレート４１の外周と各ケース２１，２２との間が略密閉される。このようなファン取付プレート４１には、吸気ファン４２，４３の取付位置に対応した一対の開口部４１１，４１２が設けられている。開口部４１１，４１２の中心は吸気ファン４２，４３の吸込口の中心と略一致している。吸気ファン４２，５３で吸入される空気は、これらの開口部４１１，４１２を通ることになる。
開口部４１２の形状が円形であるのに対し、開口部４１１の形状は、開口部４１２に近接する側の一部が欠けた形状である。
【００２３】
ファン取付プレート４１において、前面部２Ｂ側の一方の開口部４１１回りには、装置本体の内方に向けて突出した取付ボス４１３が設けられている。取付ボス４１３には、空気の流入方向に沿って所定の厚みを有した中継部材４５が取り付けられ、この中継部材４５の取付部４５１に対して一方の吸気ファン４２が取り付けられる。
他方の開口部４１２回りにも、同様に突出した取付ボス４１４が設けられている。取付ボス４１４には、他方の吸気ファン４３が直接取り付けられ、中継部材は設けられていない。
【００２４】
この際、中継部材４５は、開口部４１１と吸気ファン４２の吸込口とを連通させる連通路４５２を有した筒状とされ、連通路４５２が設けられた胴部４５３の厚み寸法は、他方の吸気ファン４３の厚み寸法に応じて設定されている。つまり中継部材４５は、吸気ファン４２の空気吐出口４２１を、吸気ファン４３に阻害されることなく開口させるために設けられており、中継部材４５を用いることによって、吸気ファン４２が吸気ファン４３に対して軸方向にずれることになり、各吸気ファン４２，４３の空気吐出口４２１，４３１が同じ方向に開口するようになる。
【００２５】
中継部材４５の胴部４５２の外周形状は、円筒状に対して吸気ファン４３に近接する側の一部が凹状に欠けた形状であり、開口部４１１の形状に対応している。欠けた部分は凹面部４５４とされ、吸気ファン４３との干渉を避けるために設けられている。
この凹面部４５４が設けられていることで、中継部材４５に取り付けられる吸気ファン４２がより吸気ファン４３側に位置し、図３に示すように、吸気ファン４２に対して近接側の一部が軸方向に重なった状態で配置されることになる。
【００２６】
また、ファン取付プレート４１の鉛直な両側面部４１５には、鉤状の係止部４１６が設けられている。この係止部４１６には、図２に示すように、フィルタガイド部材４１７が係止される。両側に取り付けられたフィルタガイド部材４１７間には、図５に示すエアーフィルタ４６が上方から挿抜自在に挿入され、ファン取付プレート４１に近接した状態で保持される。
ここで、エアーフィルタ４６は、ファン取付プレート４１と略同じ大きさの矩形状とされ、開口部４１１，４１２を覆うのみならず、開口部４１１，４１２回りの面状部４１８の全体をも覆う大きさを有している。
【００２７】
そして、エアーフィルタ４６で覆われるファン取付プレート４１の面状部４１８には、開口部４１１，４１２の周囲に外装筐体２の内外を連通させる小さな矩形小孔状の連通部４１９が複数設けられている。連通部４１９は、ファン取付プレート４１に吸気ファン４２，４３が取り付けられた状態において、各吸気ファン４２，４３よりも外側に位置している。
【００２８】
エアーフィルタ４６がファン取付プレート４１に近接している本実施形態では、吸気ファン４２，４３による空気の吸入作用により、エアーフィルタ４６の中でも特に、開口部４１１，４１２に対応した領域を通過した空気が吸気ファン４２，４３によって吸入される。
従って、エアーフィルタ４６では、開口部４１１，４１２に対応した領域で空気内の塵埃等が捕集されることになり、長期の使用によっては、この領域でエアーフィルタ４６の目詰まりが生じることになる。
【００２９】
エアーフィルタ４６に目詰まりが生じた場合には、装置本体を覆う外装筐体２内が負圧気味になる。そうなるとプロジェクタ１では、外部の空気がファン取付プレート４１の連通部４１９を通して外装筐体２内に吸入される。連通部４１９を通った空気は、吸気ファン４２，４３によって吸気ダクト４４に送り込まれることはないが、吸気ダクト４４の吹出口４４１から吹き出した空気と共に冷却用の空気として用いられる。
この際、連通部４１９は、開口部４１１，４１２から外れた面状部４１８に設けられているため、連通部４１９から吸入される空気は、エアーフィルタ４６の目詰まりが生じていない部分を通過することになり、エアーフィルタ４６を通過することで塵埃等を含まないことになる。
【００３０】
なお、以上に説明した吸気装置４には、吸気ファン４２，４３の他、背面側に設けられた吸気ファン４７も含まれる。この吸気ファン４７は光源装置３１に近接して設けられている。プロジェクタ１では光源装置３１が最も高温となるため、光源装置３１に冷却用の空気を供給する専用の吸気ファン４７が設けられているのである。
ただし、吸気ファン４７で吸入される空気用のエアーフィルタは、本実施形態では特に設けられていない。吸気ファン４７で引き込まれる空気は、各吹出口４４１、４４２から吹出されたり、連通部４１９からの空気であるため、エアーフィルタを用いて塵埃を捕集するといった必要性がない。
【００３１】
〔冷却空気の流れ〕
図２、図３には、プロジェクタ１内での冷却用の空気の流れが矢印で示されている。
まず、図３において、吸気ファン４２，４３で吸入された空気は、吸気ダクト４４を通って吹出口４４１，４４２に導かれる。吹出口４４１から吹き出した空気は、上向きに方向を変え、上方に位置する液晶パネル３５１を冷却する。
この後、液晶パネル３５１を冷却した空気の一部は、図２に示すように、排気装置５の排気ダクト５１内に収容された排気ファン５２によって引かれ、光学ユニット３と図示略の制御装置を構成する回路基板との間を流れて排気装置５側に向かう。
そして、排気装置５側において空気は、排気装置５と光学ユニット３の光源装置３１との間に形成された隙間から排気ダクト５１内に入り込み、排気ファン５２によって排気される。つまり、冷却後の空気が排気ダクト５１を通って排気口２４（図１）から排気される。
【００３２】
一方、図３において、吸気ダクト４４の吹出口４４２から吹き出した空気は、光学ユニット３の偏光変換素子３２３を冷却する。
ここで、液晶パネル３５１、偏光変換素子３２３を冷却した空気の一部は吸気ファン４７によって吸入され、光源装置３１のランプハウジング３１３内に供給され、吹出口４４２からの空気と合流して光源ランプ３１１を冷却する。合流した空気はこの後、排気ファン５２によって引かれることで光学ユニット３の上面側からの空気と合流し、排気ダクト５１を通して排気口２４から排気される。
【００３３】
プロジェクタ１の長期の使用によりエアーフィルタ４６に目詰まりが生じると、外装筐体２内が負圧となり、エアーフィルタ４６の目詰まりが生じていない部分を通過した空気が、ファン取付プレート４１の連通部４１９を通して外装筐体２内に吸入され、冷却用の空気として補填される。
この際、連通部４１９は、ファン取付プレート４１の開口部４１１，４１２の周囲に設けられており、目詰まりが生じていない状態で吸入される空気と略同じ箇所から吸入されることになり、連通部４１９からの空気の一部は、吸気ダクトの吹出口４４１から吹き出す空気と合流して液晶パネル３５１を冷却し、ある一部は、液晶パネル３５１冷却後の空気と合流して回路基板等を冷却し、本来の空気の流れに容易に合流して排気ファン５２によって引かれることになる。
【００３４】
このような本実施形態によれば、以下の効果がある。
すなわち、プロジェクタ１では、エアーフィルタ４６に目詰まりが生じて外装筐体２内が負圧になると、ファン取付プレート４１の複数の連通部４１９を通して空気を吸入させることができる。この時、エアーフィルタ４６に目詰まりが生じている領域は、ファン取付プレート４１の開口部４１１，４１２に対応した領域であり、それぞれの連通部４１９に対応した位置では目詰まりが生じていない。従って、エアーフィルタ４６が開口部４１１，４１２と連通部４１９との両方を覆っている本実施形態では、エアーフィルタ４６を通過した空気を連通部４１９から吸入できるため、外装筐体２内の負圧によって吸入される空気内に塵埃が含まれるのを確実に防止でき、塵埃が光学部品に付着することによる照明劣化や塵埃の投写画面への写り込み等を有効に防止できる。
【００３５】
また、連通部４１９は開口部４１１，４１２と同様にファン取付プレート４１に設けられているから、通常状態において開口部４１１，４１２を通る空気と、目詰まり状態において連通部４１９を通る空気とを、それぞれ近い位置から吸入できる。これにより、連通部４１９からの空気を、吸気ダクト４４から吹き出した空気の流れに容易に合流させることができ、目詰まりしていない時と同じように、空気の円滑な流れを実現できる。
しかも、エアーフィルタ４６が開口部４１１，４１２と連通部４１９とを覆っているので、エアーフィルタ４６を１つだけ用いればよく、従来のように２つのエアーフィルタを扱う必要がない。従って、エアーフィルタ４６の清掃や交換といったメンテナンスを容易にできる。
【００３６】
ファン取付プレート４１の面状部４１８には、吸気ファン４３や中継部材４５を取り付けるための取付ボス４１３，４１４が設けられるうえ、小型化のためにも必要以上の面積で面状部４１８を大きくできないが、連通部４１９が小孔状であるため、最低限設けられる面状部４１８に複数の連通部４１９を効率的に配置でき、ファン取付プレート４１を十分に小さくできて、かつ目詰まり時の空気量を十分に確保できる。
吸気装置４としては、小型の吸気ファン４２，４３を一対設ける構造であるから、同じ冷却性能を発揮する１つの大きな吸気ファンを用いる場合に比して、外装筐体２内での納まりをよくでき、配置効率を向上させることができてプロジェクタ１の小型化をより促進できる。
【００３７】
一方の吸気ファン４２側の中継部材４５には、他方の吸気ファン４３に対応した位置に凹面部４５４が設けられているため、凹面部４５４を吸気ファン４３に対応させることで、一対の吸気ファン４２，４３を互いに重なるように近接させて配置でき、吸気ファン４２，４３の配置スペースを削減して小型化を一層促進できる。
【００３８】
なお、本発明は、前記実施形態に限定されるものではなく、本発明の目的を達成できる他の構成等を含み、以下に示すような変形等も本発明に含まれる。
前記実施形態では、ファン取付プレート４１に一対の吸気ファン４２，４３を取り付けた例を説明したが、これに限定されず、例えば１つの吸気ファンを取り付けてもよい。すなわち、吸気ファンの個数は、冷却性能や配置スペース等を勘案して任意に決められてよい。
【００３９】
前記実施形態では、連通部４１９が小孔状とされ、ファン取付プレート４１の面状部４１８に複数設けられていたが、ファン取付プレートの形状等によっては、所定の大きさの開口面積を有した連通部を１つだけ設けることも可能であり、このような場合でも本発明に含まれる。
【００４０】
前記実施形態では、光学変調装置として、透過型の液晶パネル３５１を採用したが、これに限らず、反射型の液晶パネル、あるいは、ＤＭＤ(Digital Micromirror Device)(米国テキサスインスツルメント社の商標)等を採用してもよい。
前記実施形態では、フロント投射型のプロジェクタの例のみを挙げたが、本発明は、スクリーンを備え、該スクリーンの裏面側から投写を行うリアタイプのプロジェクタにも適用可能である。
【産業上の利用可能性】
【００４１】
本発明は、塵埃を含まないクリーンな空気を吸入できるとともに、冷却用の空気の円滑な流れを維持でき、かつメンテナンスを容易にできるため、プレゼンテーションやホームシアタに用いるプロジェクタとして好適に利用できる。
【図面の簡単な説明】
【００４２】
【図１】本実施形態におけるプロジェクタの外観を前面上方側から見た斜視図。
【図２】前記プロジェクタの内部構造を背面上方側から見た斜視図。
【図３】前記プロジェクタ内の要部を背面上方側から見た斜視図。
【図４】前記プロジェクタの外装筐体内に収容される装置本体を模式的に示す図。
【図５】前記プロジェクタの吸気装置を構成する部材を示す分解斜視図。
【符号の説明】
【００４３】
１…プロジェクタ、２…外装筐体、４２，４３…吸気ファン、４１…ファン取付プレート、４５…中継部材、４６…エアーフィルタ、５２…排気ファン、４１１，４１２…開口部、４１８…面状部、４１９…連通部、４５４…凹面部。
【図１】
2009211000.tif 000003
【図２】
2009211000.tif 000004
【図３】
2009211000.tif 000005
【図４】
2009211000.tif 000006
【図５】
2009211000.tif 000007